(57)【要約】      （修正有）【課題】家族や個人でスケジュールの管理をしたり、通常の手帳として使用することができるように、見開いた頁に１ヶ月分の家族や個人のスケジュールを整理して記入すると共に、スケジュールの状況を一目で把握することが可能なスケジュール手帳を提供する。【解決手段】見開いた頁の上端に沿う横方向に１ケ月分の日付と曜日とを表示した日付欄４を設け、土曜日と日曜日と祭日とに該当する日付の縦方向に帯状をなす休日欄６と休日欄以外の平日欄のうち、少なくとも休日欄に筆記具による記入内容が明瞭に目立つ薄い濃度の彩色を施す一方、見開いた頁の端部に沿う縦方向にスケジュールの各項目を筆記具で記入する項目欄８を設け、夫々の項目に対して各日付に応じた内容を筆記具で記入するための横方向に帯状をなす記入欄９を設け、各記入欄は上下方向に無彩色か筆記具による記入内容が明瞭に目立つ程度に薄い濃度の彩色で区分してなるフォーマットを備えている。【選択図】図１
0003194804.tif 000002
【実用新案登録請求の範囲】
【請求項１】
筆記具で記入可能な罫線を有する頁のほかにスケジュールの記入や管理を行うフォーマットを備えたスケジュール手帳において、見開いた頁の上端に沿う横方向に両頁に渡って１ケ月分の日付と曜日とを順に間隔をあけて表示した日付欄を設け、各日付の間ごとに縦方向の境界線を表示し、土曜日と日曜日と祭日とに該当する日付の縦方向に帯状をなす休日欄と休日欄以外の平日欄のうち、少なくとも休日欄に筆記具による記入内容が明瞭に目立つ程度に薄い濃度の同一または異なる彩色を施す一方、見開いた頁の端部に沿う縦方向にスケジュールの各項目を筆記具で記入する項目欄を設け、夫々の項目に対して各日付に応じた内容を筆記具で記入するための横方向に帯状をなす記入欄を設け、各記入欄は上下方向に無彩色か筆記具による記入内容が明瞭に目立つ程度に薄い濃度の彩色で区分してなるフォーマットを備えていることを特徴とするスケジュール手帳。
【請求項２】
縦方向の各休日欄と横方向の各記入欄とが交差する交差部の彩色が、筆記具による記入内容が明瞭に目立つ程度の薄い濃度であって、交差部以外の休日欄と記入欄よりも濃い濃度の彩色であることを特徴とする請求項１記載のスケジュール手帳。
【請求項３】
見開いた頁の縦方向に複数分割した領域を形成し、各領域ごとに、横方向の日付欄と、各日付の間ごとに表示した縦方向の境界線と、縦方向に帯状をなす休日欄と、見開いた頁の端部に沿う縦方向に設けた項目欄と、夫々の項目に対して各日付に応じた内容を筆記具で記入する記入欄とを設けたことを特徴とする請求項１又は２記載のスケジュール手帳。
【考案の詳細な説明】
【技術分野】
【０００１】
本考案は、家族や個人でスケジュールの管理をしたり、通常の手帳として使用することができるスケジュール手帳に関する。
【背景技術】
【０００２】
家族や個人で予定を立てたり、計画を立ててそれを実行する際、綿密なスケジュールを作ることによって、無駄なく、しかも的確に計画が進行するように、スケジュールの管理を行うことが望ましい。
【０００３】
また、そのような場合、スケジュールの内容や日程計画をノートや手帳に書き込んで、スケジュールの内容を日付に対応させて記入することにより、スケジュールの進捗状況等を目視で把握するようにしたスケジュール管理を行うことが可能となる。
【０００４】
そこで、このようなスケジュール管理を行う際に利便となるように開発された専用の手帳として、特許文献１に記載されているものを参照する。この文献に記載されている手帳の内容は、家族と手帳の所有者自身のスケジュールなどを管理するようにした縦に長い長方形の手帳であり、ページの綴じ部を横断して見開きの両ページに亘って水平に伸びる罫線により、上下に分割された左右方向に長い多数の日割り記入欄が形成されているものである。また、これらの日割り記入欄にはページの開放縁側一端から他側端に向かって、日付、所有者記入欄、家族欄が、順に設けられた構成により、家族や個人のスケジュール管理を行うようにされている。
【０００５】
ところが、この手帳のように、日割り記入欄が見開き頁の左端に沿って上下方向に１カ月の日付が記入された場合、縦に長い長方形の手帳であっても、その頁に対して上下方向に１カ月分の日付を設けた構成では、各日付に対応した横方向の記入欄の上下幅が非常に狭いものとなって、手書きで記入するには不都合である。
【０００６】
また、この手帳の上記の構成では、複数日に亘るスケジュール内容を記載する場合、上下方向に記載された日付に沿ってスケジュール内容を記入するため、縦書きで記入する必要があり、横書きの場合と比較して記入が困難であり、目視での確認が見づらいという不都合が生じる。
【０００７】
さらに、家族や個人で種々の計画を立てる場合、ページ内で平日と休日との区別が一目で見やすくする工夫が必要であるが、上記の文献の手帳ではそのような工夫がなく、利便性に欠けるものであった。
【先行技術文献】
【特許文献】
【０００８】
【特許文献１】特開２０１３−２５２７０３号公報
【考案の概要】
【考案が解決しようとする課題】
【０００９】
本考案は、上記のような事情に鑑みてなされたもので、メモ書きを行う通常の手帳として使用するほか、家族や個人でスケジュールの管理をしたり、通常の手帳として使用することができるように、見開いた頁に１ヶ月分の家族や個人のスケジュールを整理して記入すると共に、スケジュールの状況を一目で把握することが可能なフォーマットを備えたスケジュール手帳を提供することを目的とする。
【課題を解決するための手段】
【００１０】
上記の問題を解決するために、本考案の請求項１のスケジュール手帳は、筆記具で記入可能な罫線を有する頁のほかにスケジュールの記入や管理を行うフォーマットを備えたスケジュール手帳において、見開いた頁の上端に沿う横方向に両頁に渡って１ケ月分の日付と曜日とを順に間隔をあけて表示した日付欄を設け、各日付の間ごとに縦方向の境界線を表示し、土曜日と日曜日と祭日とに該当する日付の縦方向に帯状をなす休日欄と休日欄以外の平日欄のうち、少なくとも休日欄に筆記具による記入内容が明瞭に目立つ程度に薄い濃度の同一または異なる彩色を施す一方、見開いた頁の端部に沿う縦方向にスケジュールの各項目を筆記具で記入する項目欄を設け、夫々の項目に対して各日付に応じた内容を筆記具で記入するための横方向に帯状をなす記入欄を設け、各記入欄は上下方向に無彩色か筆記具による記入内容が明瞭に目立つ程度に薄い濃度の彩色で区分してなるフォーマットを備えていることを特徴とする。
【００１１】
また、本考案の請求項２のスケジュール手帳は、請求項１において、縦方向の各休日欄と横方向の各記入欄とが交差する交差部の彩色が、筆記具による記入内容が明瞭に目立つ程度の薄い濃度であって、交差部以外の休日欄と記入欄よりも濃い濃度の彩色であることを特徴とする。
【００１２】
さらに、本考案の請求項３のスケジュール手帳は、請求項１又は２において、見開いた頁の縦方向に複数分割した領域を形成し、各領域ごとに、横方向の日付欄と、各日付の間ごとに表示した縦方向の境界線と、縦方向に帯状をなす休日欄と、見開いた頁の端部に沿う縦方向に設けた項目欄と、夫々の項目に対して各日付に応じた内容を筆記具で記入する記入欄とを設けたことを特徴とする。
【考案の効果】
【００１３】
本考案のスケジュール手帳は、筆記具で記入可能な罫線を有する通常のメモ用の頁のほかに、スケジュールの記入や管理を行うためのフォーマットを備え、見開きの頁を展開することによって、見開いた頁の上端に沿う横方向に順に記載された１ケ月分の日付と曜日を一目で目視することができ、また各日付の間ごとに表示された縦方向の境界線によって日付ごとの境界を一目で認識することが可能となる。
【００１４】
また、本考案において、上記のように構成されたスケジュール手帳には、見開いた頁の端部に沿う縦方向にスケジュールの各項目を筆記具で記入する項目欄が設けられると共に、夫々の項目に対して各日付に応じた内容を筆記具で記入するための記入欄が横方向に設けられている。従って、本考案のスケジュール手帳として、通常の手帳の形態である縦に長い長方形の頁形態を用いた場合でも、２頁分を有する見開きの頁の横方向に１カ月分の日付を表示することができるため、縦方向に日付欄を設ける場合に比べて、余裕をもって各日付の横幅を確保することが可能となる。
【００１５】
また、本考案のスケジュール手帳の構成において、横方向に帯状をなす各記入欄の上下幅を自由にとることができるため、ペンや鉛筆等の筆記具を用いて種々のスケジュール内容を余裕をもって記入することができる上下幅に設定することが可能となる。
【００１６】
さらに、本考案のスケジュール手帳の構成において、縦方向に帯状をなす休日欄には筆記具による記入内容が明瞭に目立つ程度に薄い濃度の同一または異なる彩色が施されているため、平日と休日とを一目で区別することが可能となる。また、横方向に帯状をなす記入欄には上下方向に無彩色か筆記具による記入内容が明瞭に目立つ程度に薄い濃度の彩色が施されているため、上記の縦方向に帯状をなす休日欄に施された彩色とを目視で対比することが容易であり、記入後のスケジュール管理を容易に行うことが可能となる。
【００１７】
また、見開いた頁の縦方向に複数分割した領域を形成し、各領域ごとに上記のフォーマットを備えた構成とすることによって、見開いた頁に複数月のフォーマットを形成することができ、手帳の頁を見開いただけで複数月分のスケジュール管理を一目で確認することが可能となる。
【図面の簡単な説明】
【００１８】
【図１】本考案による実施例１に係る手帳の見開いた頁を示す平面図である。
【図２】図１の矢印Ａで示す楕円形内の拡大図である。
【図３】図１の矢印Ｂで示す楕円形内の拡大図である。
【図４】本考案による実施例１に係る手帳の使用例を示す頁の部分拡大図である。
【図５】本考案による実施例１に係る手帳の他の使用例を示す頁の部分拡大図である。
【図６】本考案による実施例２に係る手帳の見開いた頁を示す平面図である。
【図７】図６の左側部分を示す拡大図である。
【考案を実施するための形態】
【００１９】
以下、本考案の実施例について図面を参照しながら説明する。
【実施例１】
【００２０】
本考案による実施例のスケジュール手帳１は、筆記具で記入可能な罫線を有する通常のメモ用の頁のほかにスケジュールの記入や管理を行うためのフォーマットを備えるものであり、スケジュールの記入や管理を行う頁では、図１に示すように、見開いた頁２の上端に沿う横方向に両頁に渡って１ケ月分の日付３ａと曜日３ｂを順に間隔をあけて表示した日付欄４を設け、各日付３ａの間ごとに縦方向の境界線５ａを表示した構成としている。なお、本実施例において、図１に示す頁２は、例として、２０１４年１月分の日付３ａと曜日３ｂに対応したフォーマットを表示してあるが、他の頁もまた、上記と同様に、日付欄４にその月の日付３ａや曜日３ｂを表示することによって、その月のフォーマットを構成することが可能である。
【００２１】
また、上記の構成において、土曜日と日曜日と祭日に該当する日付３ａの縦方向に帯状をなす休日欄６と休日欄６以外の平日欄７のうち、少なくとも休日欄６に筆記具による記入内容が明瞭に目立つ程度に薄い濃度の同一または異なる彩色を施す一方、見開いた頁の端部に沿う縦方向にスケジュールの各項目８ａを筆記具で記入する項目欄８を設けた構成としている。
【００２２】
さらに、夫々の項目８ａに対して各日付３ａに応じた内容を筆記具で記入するための横方向に帯状をなす記入欄９を設け、各記入欄９は上下方向に無彩色か筆記具による記入内容が明瞭に目立つ程度に薄い濃度の彩色で区分してなるフォーマットを備えている。
【００２３】
上記の構成をより詳細に述べると、図１又は図２に示すように、見開いた頁２の上端に設けた日付欄６に１ケ月分の日付３ａと曜日３ｂを左から右へ順に記し、さらにこの日付３ａと曜日３ｂに対応する「元旦」や「成人の日」のように祭日等を示す表示をしている。なお、曜日３ｂは、図２に示すように、漢字で表記するほか、曜日３ｂを表す英語の先頭から３文字等をとる略語で表示してもよい。なお、図１において、見開いた頁２における縦方向の中央線１ａは左右の頁を仕切る境界である。
【００２４】
また、上記の構成において、各日付３ａの間ごとに縦方向の境界線５ａを表示している。この境界線５ａは薄色の細い実線又は点線を用いて表示してあり、この境界線５ａの上にペンや鉛筆等の筆記具で文字等を記入した際、記入した内容が境界線５ａで見え難くならないように、境界線５ａは目視可能な程度に細線又は薄い濃度の彩色で表示するとよい。
【００２５】
さらに、上記のように見開いた頁２における土曜日と日曜日と祭日に該当する日付３aの縦方向に帯状をなす休日欄６を設け、この休日欄６以外を平日欄７とし、少なくとも休日欄６に筆記具による記入内容が明瞭に目立つ程度に薄い濃度の同一または異なる彩色を施すことによって、平日と休日の区分を一目で区別することができるようにしている。従って、このような休日欄６においては、土曜日と日曜日と祭日とに異なる彩色にするか、祭日のみ土曜日と日曜日の彩色とは異なる彩色にする等、彩色を変化させることも可能である。
【００２６】
また、上記の構成において、平日欄７の区分を無色、即ち頁の用紙の色を用いるほか、休日欄６とは異なる彩色を施すようにしてもよいが、いずれの彩色にしても筆記具による記入内容が明瞭に目立つ程度に薄い濃度の彩色とする必要がある。
【００２７】
また、上記の構成において、縦方向の各休日欄６と横方向の各記入欄９との交差部１０の彩色が、筆記具による記入内容が明瞭に目立つ程度の薄い濃度であって、交差部１０以外の休日欄６と記入欄９よりも濃い濃度の彩色とすることによって、縦横の表示関係、及び交差部１０をより見やすいものとすることも可能である。
【００２８】
上記の構成によれば、見開いた頁２の上端に沿う横方向に順に記載された１ケ月分の日付３ａと曜日３ｂを一目で目視することができ、また各日付３ａの間ごとに表示された縦方向の境界線５ａによって日付３ａごとの境界を一目で認識することが可能となる。
【００２９】
さらに、本実施例においては、上記のように見開いた頁２の端部の最上部に、例として「ＳＣＨＥＤＵＬＥ」の文字１３を表示し、その下部の縦方向に設けた項目欄８には複数の各項目８aが設けられ、各項目８ａごとに、横方向に帯状をなす記入欄９が設けられている。また、各記入欄９には、上下方向に無彩色か筆記具による記入内容が明瞭に目立つ程度に薄い濃度の彩色が施され、上記のように縦方向に帯状をなす各休日欄６に施された彩色とを目視で対比することが容易となり、スケジュール内容の記入や、記入後のスケジュール管理を容易に行うことが可能となる。
【００３０】
なお、上記のように横方向に帯状をなす記入欄９の境界にも、上記のような境界線５ａと同様に、薄色の細い実線又は点線で境界線５ｂを表示するようにしてもよい。また、図２に示すように、横方向に帯状をなす記入欄９の夫々には、上方から下方に向けて順に各項目８aを表す数字１１を表示することによって利便さを向上するようにしている。
【００３１】
さらに、本実施例においては、図１に示すように、見開いた頁２の上部に沿う横方向に記した１ケ月分の日付３ａと曜日３ｂに対応して、図３に示すように、見開いた頁２の下部に沿う横方向に、例えばその月の１日の水曜日は「１Ｗ」と記すように、日付に曜日のアルファベットの頭部を付した略字１４を表示している。このような構成により、見開いた頁２の上端に沿って記載された１ケ月分の日付３ａと曜日３ｂが、見開いた頁２の下部において認識し難いという不都合を解消することが可能となる。
【００３２】
上記のように構成されたフォーマットを有するスケジュール手帳１を家族で使用するには、図４に示すように、スケジュールの計画段階において、ペンや鉛筆等の筆記具を用いて、見開いた頁２の項目欄８の各項目８aに家族の夫々の名前を筆記具で記入する。その例として、本実施例では、家族の名前として、「父親Ａ男、母親Ｂ子、子供Ｃ男、子供Ｄ子」としている。そして、その家族の名前ごとに、横方向の記入欄９に、日付欄４の日付３ａに応じて夫々の様々なスケジュールを記入する。その記入の際には、横方向の矢印を用いたり、矢印の上部等にスケジュールの具体的な内容を文字等で記入することによって、家族ごとのスケジュールの内容や家族全員の休日などを一目で確認し、管理することが可能となる。
【００３３】
さらに、本実施例のフォーマットを有するスケジュール手帳１を個人で使用する場合として、例えば、受験勉強の計画を立てる際には、図５に示すように、項目欄８の各項目８aに予備校や各科目を筆記具で記入し、夫々の項目８ａの横方向の記入欄９に予備校の日程や、各科目の勉強の予定日等を矢印で記入したり、各科目の内容等を筆記具で記入する。このように計画された内容を筆記具で記入することにより、各科目の勉強時間のバランスや進行状況を考慮した計画を効率的に立てることが可能となる。また、スケジュールを記入した頁２を目視することによって、その日の予定を一目で確認でき、無駄のない効率的な受験準備を行うことが可能となる。
【実施例２】
【００３４】
さらに、本実施例の手帳１は、筆記具で記入可能な罫線を有する通常のメモ用の頁のほかに、図６又は図７に示すように、見開いた頁２の縦方向に複数分割した領域Ｃ１、Ｃ２、Ｃ３を形成し、各領域ごとに実施例１と同様のフォーマットを備えている。各領域Ｃ１、Ｃ２、Ｃ３の構成は、実施例１と同様に、日付欄４に各月の日付３ａと曜日３ｂを順に表示し、各日付３ａの間ごとに縦方向の境界線５ａを表示すると共に、見開いた頁２の端部に沿う縦方向にスケジュールの項目８aを記入する項目欄８を設け、各項目８aごとに夫々のスケジュールの内容を記入するための横方向に帯状をなす記入欄９で区分して成るフォーマットを備えた構成としている。
【００３５】
従って、上記のように、見開いた頁２の縦方向に複数分割した各領域Ｃ１、Ｃ２、Ｃ３の構成は、実施例１のフォーマットとほぼ同様であるが、本実施例では、見開いた頁２に、複数月の例として３ケ月分の各月のフォーマットを表示してあり、各月の縦幅は略３分の１に縮小された構成とされている。なお、本実施例の各月のフォーマットにおいて、実施例１と異なる構成について述べると、曜日３ｂは漢字による表示ではなく、英語の先頭から３文字をとった表示のみとしている。
【００３６】
また、本実施例では、土曜日と日曜日と祭日とに該当する日付３ａの縦方向に帯状をなす休日欄６を平日欄７とは異なる彩色であってペンや鉛筆等の筆記具による記入内容が明瞭に目立つ程度に薄い濃度の彩色で区分するほか、夫々の日曜日の欄の右側に沿って点線ではなく細い実線で境界線５ｃを引くことにより、見開いた頁における日曜日ごとの区分が一目で認識できるようにしている。さらに、図７に示すように、見開いた頁２における任意の日曜日が第何週目に該当するかを示す表示１５を夫々の日曜日の上部に表示している。この表示１５は、例えば、第１週目の場合は「Ｗ１」と記すようにしている。
【００３７】
また、図５に示すように、見開いた頁２の右肩の隅には、その頁のフォーマットの各月を略称１２で示している。即ち、本実施例のように、見開いた頁２が１月、２月、３月の場合、「１−２−３」と記すことによって、見開いた頁２の右肩の隅を見ただけで、その頁が何月を表すのかを認識することが可能としている。
【００３８】
さらに、上記のように、本実施例では、見開いた頁に３ケ月分のフォーマットを表示してあるため、スケジュールの内容を記入する項目８aの項目数が実施例１に比べて少なく、これに伴い、実施例１の頁２の最下部に表示していた略字９（図１又は図３参照）は不要であるため、表示を省略している。
【００３９】
上記のような本実施例のフォーマットにより、見開いた１頁に複数月（本実施例では３ケ月分）のフォーマットを表示することができ、スケジュール手帳１の頁２を見開いただけで複数月のスケジュール管理を一目で確認することが可能となる。
【００４０】
なお、上記のように、実施例１では、見開いた１頁に１ケ月分のフォーマットを表示し、実施例２では、見開いた１頁に複数月の例として３ケ月分のフォーマットを表示してあるが、見開いた１頁の上下方向の区分の数の取り方によって、２カ月分、半年の６ケ月分、１年の１２ケ月分等、任意数のフォーマットを表示することも可能である。
【産業上の利用可能性】
【００４１】
本考案の手帳は、メモ書きを行う通常の手帳として使用するほか、家族や個人でスケジュールの管理をしたり、通常の手帳として使用することができるように、見開いた頁に１ヶ月分の家族や個人のスケジュールを整理して記入すると共に、スケジュールの状況を一目で把握することが可能なフォーマットを備えたスケジュール手帳として利用可能である。
【符号の説明】
【００４２】
１  スケジュール手帳
１ａ  中央線
２  頁
３ａ  日付
３ｂ  曜日
４  日付欄
５ａ  縦方向の境界線
５ｂ  横方向の境界線
５ｃ  日曜日の右側の境界線
６  休日欄
７  平日欄
８  項目欄
８ａ  項目
９  記入欄
１０  交差部
１１  各項目を表す数字
１２  略称
１３  ＳＣＨＥＤＵＬＥの文字
１４  略字
１５  日曜日が第何週目に該当するかを示す表示
Ｃ１、Ｃ２、Ｃ３  領域
【図１】
0003194804.tif 000003
【図２】
0003194804.tif 000004
【図３】
0003194804.tif 000005
【図４】
0003194804.tif 000006
【図５】
0003194804.tif 000007
【図６】
0003194804.tif 000008
【図７】
0003194804.tif 000009